(57)【要約】封入具の中に糞便を導くために肛門と連通して配置されるよう構成された開口部を具えた封入具を有する器具が提供されている。ある実施例では、封入具が５０ミクロンよりも薄い厚さを具えたポリウレタン材料を有している。別の実施例では、封入具がそれに形成された空気穴を有しており、封入具の中に糞便を受け入れると、そこから空気が逃げることができるよう開いたままの状態となっている。さらに別の実施例では、開口部が円形であり、封入具が、開口部によって規定される軸周りの向きで対象とする着用者に封入具を取り付けるのに十分な柔軟性を有している。【選択図】図１ａ
2009529980.tif 000002
【特許請求の範囲】
【請求項１】
封入具の中に糞便を導くために肛門と連通して配置されるよう構成された開口部を形成した封入具を具える器具であって、
前記封入具が５０ミクロンよりも薄い厚さのポリウレタン材料を具えることを特徴とする器具。
【請求項２】
前記封入具が、各々が一体に繋がった端部を具える１組のほぼ平らなシートを具えていることを特徴とする請求項１に記載の器具。
【請求項３】
前記ほぼ平らなシートがそれに形成された開口部を有しており、
前記ほぼ平らなシートが、肛門と連通するよう前記開口部を保持するために前記開口部の周りに形成された接着剤を具えていることを特徴とする請求項２に記載の器具。
【請求項４】
前記封入具が、前記開口部が形成された第２の側とは反対側の前記封入具の第１の側に形成された使用者の手を受容するためのポケットを有していることを特徴とする請求項１に記載の器具。
【請求項５】
前記封入具が、前記封入具の端部に沿った密閉されていない部分によって前記封入具に形成された使用者の手を受容するための開口部を有していることを特徴とする請求項１に記載の器具。
【請求項６】
前記封入具が前記開口部を選択的に密閉するための接着剤を有していることを特徴とする請求項５に記載の器具。
【請求項７】
薬剤、化学物質、及び香水から成る群から選択される物質を含んでいることを特徴とする請求項１に記載の器具。
【請求項８】
封入具を具える器具であって、
前記封入具が、前記封入具の中に糞便を導くために肛門と連通して配置されるよう構成された開口部と、
前記封入具に形成された少なくとも１の空気穴であって、前記封入具の中に糞便を受け入れると空気穴から空気が逃げることができるよう開いたままである空気穴と、を有することを特徴とする器具。
【請求項９】
前記少なくとも１の空気穴が、前記開口部が形成された場所に近い第２の端部とは反対側の前記封入具の第１の端部に形成されていることを特徴とする請求項８に記載の器具。
【請求項１０】
前記封入具の中に糞便が受け入れられたかどうかを示す一片の材料が前記封入具に配置されていることを特徴とする請求項８に記載の器具。
【請求項１１】
前記材料が前記空気穴を通り抜けることを特徴とする請求項１０に記載の器具。
【請求項１２】
前記材料がリトマス材料であることを特徴とする請求項１０に記載の器具。
【請求項１３】
前記封入具が生物分解性のプラスチックを具えていることを特徴とする請求項８に記載の器具。
【請求項１４】
前記封入具が袋を具えることを特徴とする請求項８に記載の器具。
【請求項１５】
カバーが前記開口部の上に取り外し可能に付けられていることを特徴とする請求項８に記載の器具。
【請求項１６】
前記少なくとも１の空気穴がピンホールを具えていることを特徴とする請求項８に記載の器具。
【請求項１７】
前記少なくとも１の空気穴が２ｍｍよりも短い直径を有することを特徴とする請求項８に記載の器具。
【請求項１８】
前記封入具が空気を通さない材料を使用するよう構成されていることを特徴とする請求項８に記載の器具。
【請求項１９】
前記封入具が半透明及び透明材料のうちの少なくとも一方を使用するよう構成されていることを特徴とする請求項８に記載の器具。
【請求項２０】
封入具の中に糞便を導くために肛門と連通して配置されるよう構成された開口部を形成した封入具を具える器具であって、
前記開口部が円形であり、前記封入具が、前記開口部によって規定される軸周りの任意の向きで対象とする着用者に前記封入具を配置し得るのに十分な柔軟性を有していることを特徴とする器具。
【発明の詳細な説明】
【技術分野】
【０００１】
本発明は、衛生器具に関するものであり、特に、糞便を取り扱うよう構成された衛生器具に関するものである。
【発明の開示】
【課題を解決するための手段】
【０００２】
封入具の中に糞便を導くことを目的として、肛門に連通して置かれるよう構成された開口を具えた封入具を有する器具が提供されている。一実施例では、封入具が５０ミクロンよりも薄い厚さのポリウレタン材料を有している。別の実施例では、封入具がそれに形成された空気穴を有しており、封入具の中に糞便を受け入れるとそこから空気が逃げることができるよう開いたままとなっている。さらに別の実施例では、開口が円形であり、封入具が十分に柔軟性を有しており封入具が開口によって規定される軸周りに回転可能である。
【発明を実施するための最良の形態】
【０００３】
図１ａは、一実施例に係るおむつかぶれを防止する封入具１００の平面図を示す。封入具１００は、例えば、薄い長方形の柔軟な耐水容器を具えている。当然ながら、このような封入具１００は、円形、多角形、楕円形等といった他の形状の形態であってもよい。任意に、封入具１００が袋状であってもよい。さらに、空気を通さない材料を使用して封入具を構成してもよい。図１ａは、特に対象とする着用者に付ける前を表す封入具１００の平面図を示す。
【０００４】
封入具１００は、例えば、低密度又は高密度のポリウレタン材料（例えば、プラスチック）といった耐水材料の２つの薄いシート１１４から成る。使用時に、封入具１００の少なくとも３つの端部１０２に沿って平らな状態に２つの薄いシート１１４を互いに密着する。例えば、２つの薄いシート１１４を加熱シールすることによって一緒に密着する。図１ａに示すように、対象とする着用者に取り付ける前には４番目の端部１０６を塞がないままにするが、対象とする着用者に取り付けた後のある時点で塞ぐ。これにより、取り付けを簡単にするために、対象とする着用者に封入具１００を配置する個人の手を封入具１００の中に入れることが可能となる。長方形以外の形状では、このような４カ所の端部が、成人の人間の手を挿入するのに十分大きな封入具の端部に沿った長さを任意に有している（例えば、円形の封入具の周囲に沿って５インチの長さ）。
【０００５】
封入具１００の寸法は、乳幼児用では約５インチ×７インチであるが、対象とする着用者の年齢、体重、及び性別に応じて様々な大きさでもよい。さらに、図１ａを参照すると、塞いでいない４番目の端部１０６は封入具１００の５インチの側部のうちの１つに沿って設けられる。使用時に、７インチの大きさにより封入具１００の中に十分な容量を与えて、１才よりも幼い乳幼児の１回の排便によって生じる大便を保持する。当然ながら、より年長の子供、歩き始めの子供及び成人用に７インチよりも大きい寸法が考えられる。
【０００６】
追加的に、様々な実施例では、封入具１００の壁を含むシートの厚さが、約０．６ミル（すなわち、１５ミクロン）であるが、柔軟性、快適性、及び耐水性を十分に維持しつつ、対象とする着用者の年齢、体重、又は性別に応じて実質的に薄かったり厚かったり（例えば、１０，２０，２５，３０ミクロン等）してもよい。特に、袋の厚さが１．２５ミル（すなわち、約３１ミクロン）を超える場合、袋はあまり柔軟ではなくなって対象とする着用者の肛門周辺部に必ずしも十分に適合するとは限らず、これにより封入具１００が信頼できなくなる。
【０００７】
また、封入具１００は、開口部１１６を有している。例えば、この開口部１１６は約１から２インチの直径である（例えば、１才よりも幼い乳幼児用では１インチの直径）。図１ａに示すように、開口部１１６は、封入具１００の上部シートに設けられており、シート１００の中に糞便を導くために開口部１１６が対象とする着用者の肛門と連通する。特に、開口部１１６を封入具１００の寸法の小さい方（例えば、５インチ×７インチの封入具１００の５インチの側）の中心線に沿って中央に設けるが、開口部１１６は封入具１００の開いた端部とは反対側の塞いだ端部から開口部１１６の半径に加えて約１．０から１．５インチの位置にある。
【０００８】
さらに、図１ａは封入具１００の上部シートに付けられた開口部１１６を囲む接着剤１１８の領域を示す。接着剤１１８は、医学的／外科的適用又は１回に数時間人間の皮膚に接触するような使用に適している柔軟な耐水性のある粘着剤である。接着剤１１８の領域は、封入具１００の開口部１１６の周囲を囲む約１インチの接着剤１１８を付けるように、（図３を参照して詳細を説明するように）円形又は長方形といった形状である。当然ながら、使用する接着材料の強度に応じて、開口部１１６の周囲を囲む接着剤１１８の程度の差がある。
【０００９】
ある実施例では、接着剤１１８が両面であり、開口部１１６の中央が対象とする着用者の肛門開口部に合わさると封入具１００の面及び対象とする着用者の肛門周辺部に接着する。使用される接着材料の例として、３Ｍ  １５２４  Ｍｅｄｉｃａｌ  Ｔｒａｎｓｆｅｒ  Ａｄｈｅｓｉｖｅ（転写接着剤）が挙げられ、これは、鋼への４０ｏｚ／ｉｎ．の接着力を具えた２．５ミルの厚さの繊維強化した低刺激性の粘着剤である。
【００１０】
図１ａの封入具１００は、上記のように、フランジを使用して封入具１００と対象とする着用者の肛門周辺部との間に確実な密着を形成しようとする場合に、封入具１００の開口部１１６を囲むこのようなフランジの必要性を無くすことが可能である。非常に薄い封入具１００の固有の柔軟性及び開口部１１６を囲む封入具１００の外面の非常に薄い柔軟な接着剤１１８により、図１ａに示すようにフランジは不要である。このような組み合わせが接着剤１１８によって覆われる領域にわたって防水シールを形成する。
【００１１】
使用時に、封入具１００の開口部１１６の中心が対象とする着用者の肛門開口部の上に合わさるように、封入具１００を対象とする着用者に取り付ける。封入具１００の開口部１１６を囲む接着領域１１８を、対象とする着用者の肛門開口部の周囲の皮膚に押し付ける。さらに、封入具１００の開口部１１６は円形でもよく、接着剤の領域１１８もまた円形でもよいが、接着剤の領域１１８は十分に大きければ（例えば、開口部１１６の端部から外側に約１インチだけ開口部１１６の周囲を延びている）他の形状でもよい。このように、（上記のように）封入具１００の少なくとも一部の柔軟性により、始点が封入具１００の開口部１１６の中心を通り抜けて開口部１１６の面に対して垂直な軸周りの任意の向きで（例えば、回転させて）、封入具１００を着用者に付ける。このような方法では、封入具１００を対象とする着用者に適切に接着するために開口部１１６を封入具１００の特定の軸に揃える必要がない。
【００１２】
感圧の３Ｍ  ＃１５１５，Ｎｏｎｗｏｖｅｎ  Ｍｅｄｉｃａｌ  Ｔａｐｅといった片面の接着剤１０８を図１ａに示しており、例えば、それは密閉していない端部１０６に沿って二分の一インチ幅の帯状に封入具１００に付けられている。当然ながら、片面の接着剤１０８は、十分な幅を有してもよい。片面の接着剤１０８は図示するように、封入具１００の端部を越えて、さらに二分の一インチ又は十分な大きさだけ延びている。図４を参照して詳述するようなリリースライナーが、封入具１００に付けられない接着剤コーティング領域１０８の露出した延長部分に設けられており、付ける際に封入具１００の内部に手が置かれるか否かに応じて着用者に付ける前又は付けた後に取り除かれる。いずれのケースにおいても、露出した接着剤コーティング領域１０８は封入具１００の開口端を塞ぐよう折り重なる。
【００１３】
封入具１００が対象とする着用者に付けられると、外部環境に晒されている封入具１００の唯一の開口部は、約４０から５０ミルの直径（すなわち、１から１．２５ｍｍの直径）のピンホールといった少なくとも１の小さな穴１１０であり、これにより封入具１００の中に閉じ込められた気体又は空気が逃げることが可能である。この穴１１０は、肛門開口部の上の開口部１１６からできるだけ離れて設けられており、大便が穴１１０を通って漏れるのを最小限にする。例えば、穴１１０を開口部１１６に近い封入具１００の端部とは反対側の封入具１００の端部に設けてよい。少なくとも１の穴１１０が封入具１００の端部に沿って又は封入具１００を具える一方のシートの面に設けられている。穴１１０を通る漏れは滅多に生じないが、実際には最小限である。しかしながら、穴１１０は、着用者が座っている時に閉じ込められた空気又は気体により封入具１００が破裂する原因となる過度の圧力下に封入具１００が置かれるのを防止する。
【００１４】
大便が封入具１００に入ると、着用者を背負って脚を広げることによって封入具１００全体を着用者から取り外し、上端を掴むことによって封入具１００を退けて、取り外した後に肛門開口部の上の開口部１１６が上に向くように下に下ろす。これにより封入具１００の内容物がこぼれる可能性を最小限にする。
【００１５】
そして、封入具１００の開口部１１６の周囲の接着剤コーティング領域１１８を、封入具１００の開口部１１６の上をリリースライナーと同じ大きさの材料で覆い、廃棄する前に封入具１００を完全に密封する。材料は、３Ｍ  ３６５０シリーズの収納テープといった耐水テープ又はサランラップといった薄いプラスチックシートを含んでいる。接着剤領域１１８は、十分に損なわれておらず、汚れていない乾燥した材料又は面に接着して、廃棄のために開口部１１６を十分に密閉する。図２に示すような、封入具１００の開口部１１６を覆って対象とする着用者に封入具１００を取り付ける前に外されるリリースライナーもまた、このような目的で使用してもよい。
【００１６】
また、１）大便と化学反応して臭いを少なくともさらに低減又は無くす封入具１００の中に設けられた薬剤、化学物質及び／又は香水、２）Ｃａｒｇｉｌｌの子会社であるＮａｔｕｒｅ  Ｗｏｒｋｓによってトウモロコシ糖から生成され、環境を考えて使い捨て可能及び／又は処分するためにトイレの中に安全に置かれて流される生物分解性の封入具１００、３）一端が封入具１００の中にあり他端が封入具１００の小さな開口部（例えば、空気穴１１０）を通って外に出るひも又は帯１１２であって、色又は見た目が変化して封入具が大便でいっぱいになっていることを示すリトマス材料の帯といったひも又は帯１１２、及び／又は４）封入具１００の端部に沿って設けられた再密封可能なラビリンスシール１０４であって、初めはシールされておらず対象とする着用者に封入具１００を取り付けた前後にシールされて端部１０６に沿った接着シールの必要性を無くすラビリンスシール１０４：を含むさらなる任意の機能強化が、図１ａの封入具１００との関連で提供されている。
【００１７】
図１ｂは、おむつかぶれを防止する別の実施例に係る封入具２００の平面図を示す。オプションとして、本封入具２００は図１ａの封入具との関連で構成されている。しかしながら当然に、封入具２００を所望の様式で構成してもよい。さらに、上述の規定を以下の記載に同様に適用してもよい。特に、図１ｂは、４つの端部２０２全てが始めに密閉されている封入具２００を示す。
【００１８】
図１ｃは、おむつかぶれを防止するさらに別の実施例に係る封入具３００の平面図を示す。オプションとして、本封入具３００は図１ａの封入具との関連で構成されている。しかしながら当然に、封入具３００を所望の様式で構成してもよい。さらに、上述の規定を以下の記載に同様に適用してもよい。特に、図１ｃは、３つのシート３０２から成る封入具３００を示しており、着用者に面するシート層及び中間のシート層が４カ所全ての端部３０４及び３０６で互いに密閉されている一方、４番目の端部３０８は密閉されていない状態で第３のシート層が３カ所の端部３０４に沿って他の２つのシート層に密閉されている。第３のシート層の密閉されていない状態の４番目の端部３０８が、着用者に面する層状シート及び中間の層状シートの密閉した端部３０６を越えて左方に延びていることを図１ｃに示すが、４番目の端部３０８は、その目的に影響を及ぼさずに、密閉した端部３０６と一致するか又は密閉した端部３０６の右方にあってもよく、製造のし易さに基づいて選んでもよい。
【００１９】
図２は、別の実施例に係るおむつかぶれを防止する封入具４００の平面図を示しており、接着剤コーティング領域の上にリリースライナー４０４を有する。オプションとして、本封入具４００は図１ａから１ｃの封入具との関連で構成されている。しかしながら当然に、封入具４００を所望の様式で構成してもよい。さらに、上述の規定を以下の記載に同様に適用してもよい。
【００２０】
図２を参照すると、図１ａに示すような対象とする着用者に面する接着剤領域の側部が、少なくとも接着剤コーティング領域全体を覆うリリースライナー４０４によって始めに覆われている。このようなリリースライナー４０４の例は、３Ｍ  １３６１  Ｒｅｌｅａｓｅ  Ｌｉｎｅｒ（６０ｌｂ．，半漂白Ｋｒａｆｔ紙、シリコーン剥離剤をコーティング、3．５ミル厚）である。対象とする着用者に取り付ける前にリリースライナー４０４を所定の位置に保持して、使用前に接着剤が劣化するのを防止する。リリースライナー４０４を、対象とする着用者に封入具４００を取り付ける直前に外してもよい。接着剤コーティング領域からリリースライナー４０４を取り外すと、封入具４００の開口部４０２の中央が対象とする着用者の肛門開口部の上に位置するように、封入具４００の開口部４０２を具えた側を対象とする着用者の肛門開口部の周りの皮膚に押し付ける。
【００２１】
接着剤コーティング領域は、肛門開口部を直接取り巻く皮膚の領域とこの接着剤領域の外側の皮膚とを隔てるよう機能する。大便が肛門開口部から出ると、それは開口部４０２を通って封入具４００に入る。封入具４００の耐水性及び皮膚と接触する接着剤の領域によって形成されたシールにより、大便は封入具４００の外側にある尿と接触できない。さらに、接着剤接触領域の外側の皮膚の尿が、接着剤接触シール及び封入具４００の耐水性により、接着剤接触領域又は接着剤接触領域の内側の皮膚と接触するのを防止される。
【００２２】
封入具４００が接触する皮膚の領域は肛門開口部の周囲の皮膚であるが、肛門開口部又は肛門開口部の中の皮膚ではないことに注意すべきである。肛門開口部の周囲（すなわち、肛門周辺部）の皮膚は大便が肛門開口部を通る際に伸縮しないため、封入具４００又は図１ａに示すような接着剤コーティング領域を具える材料が肛門開口部の皮膚と弾力性が同じであるか又はそれよりも弾力性が大きい必要がない。
【００２３】
封入具４００の別の利点は、対象とする着用者に封入具４００を取り付けるために封入具４００が別個のアプリケーターを要しないことである。図１ａでは、対象とする着用者に封入具１００取り付ける人間は、密閉されていない端部１０６を通して封入具１００の中に片手を置くことができる。図１ｂでは、対象とする着用者に封入具２００取り付ける人間は、中指の先を開口部の上のほぼ中央に置いた状態で片手を封入具２００の裏側に置いて、小指及び親指でそれぞれ外側の端部を押し付けながら人差し指及び薬指で外側の端部を包み込むことによって封入具１００を保持できる。図１ｃでは、対象とする着用者に封入具３００を取り付ける人間は、密閉しない端部３０８を具えた第３のシートと中間シートとの間に片手を単に置くことによって、封入具３００をしっかり掴むことができる。このような方法では、封入具３００が開口部３１０の反対の側及び／又はその手前に設けられたポケットになることが可能となり、対象とする着用者に封入具３００を取り付ける人間の手を受容する。全てのケースにおいて、封入具４００が片手で所定の位置に保持されると、封入具４００の開口部４０２の周囲の接着剤の領域からリリースライナー４０４を取り外す。
【００２４】
図３は、さらに別の実施例に係る、封入具の開口部を取り囲む両面接着領域５０２及び５０８及びリリースライナー５０４及び５０６を示す。オプションとして、本接着コーティング領域５０２及び５０８及びリリースライナー５０４及び５０６を、図１ａから１ｃ及び図２の封入具に使用してもよい。しかし当然ながら、接着コーティング領域５０２及び５０８及びリリースライナー５０４及び５０６を所定の方法で使用してもよい。
【００２５】
特に、両面接着領域５０２及び５０８及びリリースライナー５０４及び５０６を、長方形又は円形の形状で構成する。図示するように、長方形の両面接着領域５０２は、図１ａを参照して説明したように一方の側が封入具と接触し、他方の側が長方形のリリースライナー５０４と接触する。代替的に、円形の両面接着剤５０４が、一方の側が図１ａを参照して説明したような封入具と接触し、他方の側が円形のリリースライナー５０６と接触する。
【００２６】
図４は、さらに別の実施例に係る、封入具の開口端における片面の接着材料６０４及び６０６及びリリースライナー６０２を示す。オプションとして、本接着材料６０４及び６０６及びリリースライナー６０２を、図１ａから１ｃ及び／又は図２の封入具に使用してもよい。しかし当然ながら、接着材料６０４及び６０６及びリリースライナー６０２を所定の方法で使用してもよい。
【００２７】
図示するように、片面の接着材料の第１の領域６０６が、図１ａの符号１０８で示すように配置した状態で、封入具の内面に接着する。片面の接着材料の第２の領域６０４が、封入具を越えて延びる接着材料６０４がリリースライナー６０２によって保護されるように、リリースライナー６０２に接着する。
【００２８】
図１ａから１ｃを参照して説明した封入具は、男性又は女性に等しく使用可能である。説明した封入具を、乳児又は歩き始めの子供のかぶれを防止するために使用してもよく、高齢者福祉施設において失禁状態になった高齢者といった成人に使用してもよい。封入具及び肛門開口部を取り囲む開口部の寸法は、対象とする着用者のタイプに従って異なっていてもよい。
【００２９】
また、図１ａから１ｃを参照して説明した封入具は、汚れたおむつの交換に関する時間、労力、乱雑さ、及び臭いを減らす。これらは、対象とする着用者及び個別の封入具の交換の双方に関する汚れたおむつの交換処理の衛生状態を劇的に改善する。これらは、従来の使い捨ておむつのみを使用した場合と比較した提案した封入具の使用における個々の利点であり、おむつかぶれを防止するための手段としての実用性とはとは無関係である。
【００３０】
さらに、図１ａから１ｃを参照して説明された封入具により、汚れたおむつを素早く交換するための重要な理由の一つがおむつかぶれの防止であるため、従来の使い捨ておむつをより長く装着するのが可能になる。本封入具を使用した使い捨ておむつが乾いているが、提案した封入具そのものが大便を含んでいる場合、上記のようにして本封入具を取り外すことができ、使い捨ておむつを再び取り付けることができる。
【００３１】
様々な実施例を上述したが、それらは限定されるのではなく単に例として提供されていることに留意されたい。例えば、編目部材が以上で規定された所望の機能を採用してもよい。このように、上述の好適な実施例によって好適な実施例の広さ及び範囲を限定するべきではなく、単に上記の特許請求の範囲及びそれらに相当するものに従って規定すべきである。
【図面の簡単な説明】
【００３２】
【図１】図１ａから図１ｃは、様々な実施例に係るおむつかぶれを防止する封入具の平面図を示す。
【図２】図２は、別の実施例に係る、接着剤コーティング領域の上にリリースライナーを有するおむつかぶれを防止する封入具の平面図を示す。
【図３】図３は、さらに別の実施例に係る、封入具の開口部を取り囲む両面接着領域及びリリースライナーの平面図を示す。
【図４】図４は、さらに別の実施例に係る、封入具の開口端の片面接着材料及びリリースライナーを示す。
【図１ａ】
2009529980.tif 000003
【図１ｂ】
2009529980.tif 000004
【図１ｃ】
2009529980.tif 000005
【図２】
2009529980.tif 000006
【図３】
2009529980.tif 000007
【図４】
2009529980.tif 000008
【手続補正書】
【提出日】平成20年11月13日(2008.11.13)
【手続補正１】
【補正対象書類名】特許請求の範囲
【補正対象項目名】全文
【補正方法】変更
【補正の内容】
【特許請求の範囲】
【請求項１】
単層の封入具の中に糞便を導くために肛門と連通して配置されるよう構成されたフランジの無い開口部を具える単層の封入具を具える器具であって、
前記単層の封入具が、５０ミクロンよりも薄い厚さのポリウレタン材料を具えており、
接着剤が、肛門と連通するよう前記フランジの無い開口部を保持すべく前記フランジの無い開口部の周りに形成されており、
カバーが、前記フランジの無い開口部及び前記接着剤を覆って取り外し可能に付けられており、
前記単層の封入具が、空気を通さない又は水を通さない材料を使用して構成されていることを特徴とする器具。
【請求項２】
前記単層の封入具が、前記フランジの無い開口部が形成された第２の側とは反対側の前記単層の封入具の第１の側に形成されたポケットを有しており、
前記フランジの無い開口部が、前記ポケットの少なくとも２つの端部に沿って前記ポケットが前記単層の封入具に取り付けられた場合に、使用者の手を受容することを特徴とする請求項１に記載の器具。
【請求項３】
前記単層の封入具が、使用者の手を受容すべく前記単層の封入具の端部に沿った密閉されていない部分により前記単層の封入具に形成された開口部を有しており、
前記開口部が、前記開口部を選択的に密閉するための接着剤を具えていることを特徴とする請求項１に記載の器具。
【請求項４】
前記単層の封入具の中に物質が含まれており、
前記物質が、薬剤、化学物質、及び香水から成る群から選択されることを特徴とする請求項１に記載の器具。
【請求項５】
前記接着剤が転写接着剤を含んでいることを特徴とする請求項１に記載の器具。
【請求項６】
前記接着剤が両面接着剤を含んでいることを特徴とする請求項１に記載の器具。
【請求項７】
前記単層の封入具が生物分解性プラスチックを具えていることを特徴とする請求項１に記載の器具。
【請求項８】
少なくとも１の空気穴が、前記単層の封入具に形成されており、前記単層の封入具の中に糞便を受け入れると前記少なくとも１の空気穴から空気が逃げることができるよう開いたままとなっていることを特徴とする請求項１に記載の器具。
【請求項９】
一片の材料が、前記単層の封入具の中に糞便を受け入れたか否かを示すべく前記単層の封入具の前記空気穴を通り抜けていることを特徴とする請求項１に記載の器具。
【請求項１０】
前記フランジの無い開口部が円形であり、
前記単層の封入具が、前記フランジの無い開口部によって規定される軸周りの任意の向きで対象とする着用者に前記単層の封入具を取り付け得るのに十分な柔軟性を有していることを特徴とする請求項１に記載の器具。
【国際調査報告】
2009529980.tif 000009